(57)【特許請求の範囲】
【請求項１】
パチンコ球を貯留する皿部を有する球受皿本体と、該球受皿本体に設けられた回動支軸に軸通孔を挿通することにより回動自在に軸支され、球抜操作部材の操作により回動支軸を中心として回動し、球抜孔を直接的に又はスライド部材を介して開閉するレバー部材と、該レバー部材を球抜孔を閉止する位置に付勢する付勢部材とからなり、
前記回動支軸に挿通するレバー部材の軸通孔を回動支軸の直径より大きく形成して、該レバー部材を回動支軸と軸通孔の隙間の範囲内で移動自在なように設け、レバー部材に回動支軸と平行状に係合ピンを突設すると共に、前記球受皿本体には係合ピンが係止する係止部を有する環状溝を設け、球抜操作部材を付勢部材の付勢に抗して操作することにより球抜孔を閉止する位置と開放する位置に交互に係止するようにしたことを特徴とするパチンコ機における球受皿の球抜装置。
【発明の詳細な説明】
【０００１】
【発明の属する技術分野】
本発明は、パチンコ機の前面に取着される球受皿の球抜装置に関し、特に球抜孔を開放状態に保持し得るようにしたパチンコ機における球受皿の球抜装置に関するものである。
【０００２】
【従来の技術】
従来、球受皿の球抜孔を開放状態に保持し得るようにしたパチンコ機における球受皿の球抜装置として、例えば特公平３−５３９５４号公報のものが知られている。
【０００３】
この従来の球受皿の球抜装置は、球受皿の球抜孔を開閉する摺動体と、球受皿の係合部に係脱自在なように設けられた係止部材と、係合部と係止部材との係合を外す押圧部材とを備え、係止部材を係合部に係合させることにより摺動体を球抜孔を開放する位置に拘束すると共に、押圧部材を押圧操作して係合部と係止部材との係合を解除することにより摺動体を球抜孔を閉止する位置に移動させるようになっていた。
【０００４】
【発明が解決しようとする課題】
上記した従来のパチンコ機における球受皿の球抜装置は、摺動体，係止部材，押圧部材をそれぞれ付勢する付勢部材を必要とするため、部品点数が増加し、しかも構造が複雑で組立てに手間が掛かりコストアップにつながっていた。
【０００５】
本発明は、上記した問題点に鑑みてなされたもので、その目的とするところは、部品点数が少なく、かつ簡単な構造で球受皿の球抜孔を開放状態に保持し得るようにしたパチンコ機における球受皿の球抜装置を提供することにある。
【０００６】
【課題を解決するための手段】
上記目的を達成するために、本発明のパチンコ機における球受皿の球抜装置は、パチンコ球を貯留する皿部を有する球受皿本体と、該球受皿本体に設けられた回動支軸に軸通孔を挿通することにより回動自在に軸支され、球抜操作部材の操作により回動支軸を中心として回動し、球抜孔を直接的に又はスライド部材を介して開閉するレバー部材と、該レバー部材を球抜孔を閉止する位置に付勢する付勢部材とからなり、前記回動支軸に挿通するレバー部材の軸通孔を回動支軸の直径より大きく形成して、該レバー部材を回動支軸と軸通孔の隙間の範囲内で移動自在なように設け、レバー部材に回動支軸と平行状に係合ピンを突設すると共に、前記球受皿本体には係合ピンが係止する係止部を有する環状溝を設け、球抜操作部材を付勢部材の付勢に抗して操作することにより球抜孔を閉止する位置と開放する位置に交互に係止するようにした。
【０００７】
上記のように構成されたパチンコ機における球受皿の球抜装置は、球抜操作部材を指で開方向に押して回動するとレバー部材が付勢部材の付勢に抗して球抜孔を開放する方向に回動される。そして、係合ピンが球受皿本体の環状溝を移動してレバー部材が回動支軸と軸通孔との間の隙間により移動し、球抜孔を開放する位置まで移動すると、付勢部材の付勢によりレバー部材が回動復帰しようとして係合ピンが球受皿本体の環状溝の係止部に係合してレバー部材を球抜孔を開放する位置に保持する。また、この状態で球抜操作部材を指で再度開方向に押して回動すると係合ピンと環状溝の係止部との係合が外れ、これによりレバー部材が付勢部材の付勢により元の位置に回動して球抜孔を閉止する。
【０００８】
なお、本発明のパチンコ機における球受皿の球抜装置は、パチンコ機の前面枠の前面に設けられる打球供給用の上部球受皿又は上部球受皿の余剰球を貯留する下部球受皿のいずれにも適用可能である。
【０００９】
【発明の実施の形態】
次に、図面を参照して本発明の実施の形態について説明する。図１はパチンコ機の正面図、図２は上部球受皿の斜視図、図３は上部球受皿の分解斜視図、図４はその要部拡大斜視図であり、１はパチンコ機の機枠、２は機枠１の前面に開閉自在に装着された前面枠である。前面枠２は、ほぼ中央に窓孔が形成された額縁状に形成されており、該窓孔の上部にガラス扉３が、その下部に前面板４がそれぞれ開閉自在に設けられている。前記ガラス扉３の後方であり、前面枠２の窓孔の裏面部分には遊技盤５が着脱自在に取付けられている。この遊技盤５の前面には円状の誘導レール６が設けられており、その誘導レール６で囲まれる領域が遊技領域として構成されている。また、前記前面板４の前面には誘導レール６の発射位置にパチンコ球を供給する打球供給用の上部球受皿７が設けられており、前面枠２の前面下部には、上部球受皿７から溢出する余剰球を貯留する下部球受皿８が設けられている。
【００１０】
次に、図２ないし図４を参照して上部球受皿７の構成について説明する。上部球受皿７は、前面板４の前面に取付ける飾りベース９と、パチンコ球を貯留する皿部１０ａを有する球受皿本体１０と、該球受皿本体１０の前面を覆う装飾カバー１１とを一体に組付けて構成されている。前記皿部１０ａは、飾りベース９に開設した景品球排出口１２が臨む一端から他側端に向かって底面が緩るやかに下り傾斜すると共に、その下流側に誘導側壁１３を介して段状に高くした球圧受部１４と、該球圧受部１４の誘導側壁１３によって順次幅狭に形成されパチンコ球を一列に整列して流下させる整流通路１５が形成されている。この整流通路１５の終端には流路変更用ガイド１６と整流通路１５を流下するパチンコ球が上下に積み重なるのを防ぐ球均し板１７が設けられており、整流通路１５のパチンコ球を流路変更用ガイド１６により飾りベース９の供給口１８から前面板４の裏面側に流出させて図示しない打球供給装置に導くようになっている。また前記整流通路１５の終端底面には球抜孔１９が開設されており、該球抜孔１９の下方に下部球受皿８と連通する球抜通路２０が設けられている。
【００１１】
次に、図４ないし図６を参照して本発明の一実施の形態の球抜き装置について説明する。前記球抜孔１９にはスライド部材２１が横方向へスライド自在に設けられている。このスライド部材２１には球抜孔１９を開閉する平板状のシャッター部２１ａと係合ピン２１ｂが設けられている。また球抜孔１９の前部位置には球抜操作部材２２とレバー部材２３がそれぞれ設けられている。
【００１２】
前記球抜操作部材２２は、一側端に軸通孔２４が設けられており、球受皿本体１０の側板部１０ｂに突設された回動支軸２５に軸通孔２４を挿通して回動自在に軸支されている。また、球抜操作部材２２の上面部分は、回動により上面壁１０ｃの開口２６から外方へ突出する押圧部２７を一体に有する山形状に形成されており、さらに側面部には球抜操作部材２２の回動範囲を規制する当接突片２８が設けられ、下面にはＬ字形に屈曲する押圧腕部２９が設けられている。
【００１３】
前記レバー部材２３は、上端に軸通孔３０が設けられており、球受皿本体１０の側板部１０ｂに突設された回動支軸３１に軸通孔３０を挿通して回動自在に軸支されており、下端には縦長孔３２が形成されている。前記軸通孔３０は、回動支軸３１の直径より大きな楕円孔として形成されており、レバー部材２３が回動支軸３１と軸通孔３０との間の隙間の範囲内で自由に移動し得るように構成されている。このレバー部材２３は、側面に側片３３が上方に向かって漸次突出するように形成されており、該側片３３と球抜操作部材２２の押圧腕部２９とが常に接触状に位置されている。そして、レバー部材２３の縦長孔３２にスライド部材２１の係合ピン２１ｂが臨まされており、これによりレバー部材２３を介して球抜操作部材２２とスライド部材２１とが連動可能なように構成されている。
【００１４】
しかして、レバー部材２３には回動支軸３１と平行に係合ピン３４が突設され、付勢部材としてのスプリング３５の一端が連結されている。このスプリング３５は図５における右方向、すなわちレバー部材２３を常にスライド部材２１のシャッター部２１ａが球抜孔１９を閉止する方向に付勢するようになっている。このとき球抜操作部材２２の押圧部２７が上面壁１０ｃの開口２６から外方へ突出されている。
【００１５】
一方、球受皿本体１０の側板部１０ｂには、スライド部材２１が球抜孔１９を閉塞する位置と開放する位置とに保持するように前記係合ピン３４が係合する係止部３６，３７を有する環状溝３８を周設し、該環状溝３８を係合ピン３４が自在に移動するようになっている。
【００１６】
前記環状溝３８は、図７に示すように係止部３６，３７から外れた係合ピン３４を常に図７矢印に示す一方向に進むように誘導する誘導突部３９，４０が設けられている。該誘導突部３９，４０は係止部３６，３７に係止した係合ピン３４の中心よりずれていることで確実に一方向に係合ピン３４が進むようになっている。なお、球抜操作部材２２の当接突片２８により回動規制することで閉塞位置に保持するようにすれば係止部３６を省略してもよい。
【００１７】
次に、上記した球受皿の球抜装置の作用について図５及び図６を参照して説明すると、まず、図５実線で示すようにスライド部材２１のシャッター部２１ａが球抜孔１９を閉止している状態において、球抜操作部材２２の押圧部２７を指で押すと、該球抜操作部材２２が図５鎖線のように回動支軸２５を支点として時計廻り方向に回動し、これの押圧腕部２９でレバー部材２３の側片３３を押動する。これによって、レバー部材２３がスプリング３５の付勢に抗して回動支軸３１を中心に時計方向に回動し、スライド部材２１を左方向に摺動させて球抜孔１９を開放する。
【００１８】
一方、スライド部材２１のシャッター部２１ａが図５鎖線のように球抜孔１９を開放する位置まで移動すると、これに伴いレバー部材２２が回動支軸２５と軸通孔２４との間の隙間により上方向に移動しながら係合ピン３４が係合部３６から外れ誘導突部３９により環状溝３８の往溝３８ａを移動する。この状態で球抜操作部材２２から指を離して押圧を解除すると、スプリング３５の付勢によるレバー部材２３の復帰回動力により、図６実線で示すように係合ピン３４が環状溝３８の係止部３７に係合してレバー部材２３をその回動位置に保持する。このため、球抜操作部材２２の押圧部２７から指を離してもスライド部材２１は球抜孔１９を開放した状態に保持されることになり、皿部１０ａのパチンコ球は球抜孔１９から球抜通路２０を通過して下部球受皿８に流出する。
【００１９】
次に、球抜孔１９を閉止するには、図６において球抜操作部材２２の押圧部２７を指で押すと、図６鎖線のように回動支軸２５と軸通孔２４との間の隙間によりレバー部材２３が左方向に移動して係合ピン３４が係止部３７から外れる。そして誘導突部４０により係合ピン３４が環状溝３８の往溝３８ｂを移動し、レバー部材２３がスプリング３５の付勢により回動支軸３１を中心に反時計廻り方向に回動し、スライド部材２１が図５実線に示す元の位置に戻されてシャッター部２１ａにより球抜孔１９が閉止される。以後、球抜操作部材２２を球抜孔１９を開放する方向に操作する毎にスライド部材２１を開放位置と閉塞位置とに交互に確実にロックすることができる。なお、上記した実施の形態では、レバー部材２３の軸通孔３０を楕円孔として示したが、回動支軸３１より大径の円孔であってもよい。
【００２０】
図８ないし図１０は本発明に係る球抜装置を下部球受皿８に適用した第２実施の形態を示すものである。この第２実施の形態の球抜装置が第１実施の形態の球抜装置と異なるところは、主として球抜孔を開閉するスライド部材を不要とした点であるため、第１実施の形態と同じ構造のものには同一符号を付して示している。これについて説明すると、下部球受皿８の皿部４１には球抜孔４２が穿設されている。また、皿部４１の下面には皿状の支持枠４３がビス４４により固着されており、該支持枠４３には球抜孔４２と相対する位置にほぼ同じ大きさの透孔４５が設けられている。そして、皿部４１と支持枠４３との間に挟まれるように球抜操作部材２２とレバー部材４６が配設されている。このレバー部材４６は、支持枠４３に突設した回動支軸４７により水平回動自在に軸支されており、かつ球抜孔４２を開閉する幅広の板状部４６ａが一体に形成されている。すなわち、第２実施の形態のレバー部材４６においては、第１実施の形態のスライド部材２１とレバー部材２３とを一体として構成したものである。なお、球抜操作部材２２は支持枠４３に突設した回動支軸４８により水平回動自在に軸支されており、その押圧部２７が支持枠４３の開口部４９から突出するようになっている。また、支持枠４３には、係合ピン３４が移動してレバー部材４６の移動を規制する環状溝５０が設けられており、該環状溝５０はレバー部材４６が球抜孔４２を開放する位置に移動したとき、係合ピン３４が係合する係止部５１を有している。
【００２１】
この第２実施の形態の球抜装置は、図９に示すように球抜孔４２が閉止されている状態において、第１実施の形態と同じように球抜操作部材２２の押圧部２７を指で押すと、これの押圧腕部２９によりレバー部材４６の側片３３が押されて該レバー部材４６が反時計廻り方向に回動し図１０に示すように球抜孔４２を開放する。同時にレバー部材４６の係合ピン３４が環状溝５０の係止部５１に係合し、レバー部材４６を球抜孔４２を開放する位置に保持する。そして、図１０において球抜孔４２を閉止するには球抜操作部材２２の押圧部２７を指で押し、係合ピン３４と係止部５１との係合を解除することによりレバー部材４６がスプリング３５の付勢により回動されて図９に示す元の位置に戻されて球抜孔４２が閉止される。この第２実施の形態の場合、第１実施の形態に較べてさらに部品点数を少なくすることができる。
【００２２】
【発明の効果】
以上、説明したところから明らかなように、本発明においては、操作部材を指で押すだけの簡単な操作でスライド部材を球抜孔を開放する位置に保持し、又はその保持を解除して球抜孔を閉止することができるので、球受皿に貯留されるパチンコ球の球抜操作を極めて容易に行うことができる。
【００２３】
また、構造が簡単で従来の球抜装置に較べて部品点数が少なくて済み、コストダウンを図ることができる。
【図面の簡単な説明】
【図１】本発明が適用されるパチンコ機の正面図である。
【図２】本発明に係る球抜装置が組込まれた上部球受皿の斜視図である。
【図３】図２の上部球受皿の分解斜視図である。
【図４】図２の上部球受皿の要部斜視図である。
【図５】球抜孔を閉止した状態の要部正面図である。
【図６】球抜孔を開放した状態の要部正面図である。
【図７】本発明の他の実施の形態を示すもので、下部球受皿の要部分解斜視図である。
【図８】係合ピンが環状溝を巡回する動作を示す説明図。
【図９】図８の実施の形態の球抜孔を閉止した状態の要部平面図である。
【図１０】図８の実施の形態の球抜孔を開放した状態の要部平面図である。
【符号の説明】
１０                球受皿本体
１０ａ              皿部
１９                球抜孔
２１                スライド部材
２２                球抜操作部材
２３                レバー部材
３０                軸通孔
３１                回動支軸
３４                係合ピン
３５                スプリング（付勢部材）
３６，３７，５１    係止部
３８，５０          環状溝
【図１】
0003895444.tif 000002
【図２】
0003895444.tif 000003
【図３】
0003895444.tif 000004
【図４】
0003895444.tif 000005
【図５】
0003895444.tif 000006
【図６】
0003895444.tif 000007
【図７】
0003895444.tif 000008
【図８】
0003895444.tif 000009
【図９】
0003895444.tif 000010
【図１０】
0003895444.tif 000011